(57)【特許請求の範囲】
【請求項１】
互いに平行に配置された短尺支柱と該短尺支柱より短い基礎支柱とのそれぞれの端部を揃え、その揃えた端部側に水平部材を配設してそれぞれの支柱を固定してなる一対の略Ｌ字形フレームと、互いに平行に配置された短尺支柱と長尺支柱とをそれぞれの長さ方向の中心を揃え、その揃えた中心部に水平部材を配設してそれぞれの支柱を固定してなる少なくとも一対の略Ｔ字形フレームと、前記略Ｌ字形フレームの基礎支柱又は前記略Ｔ字形フレームの短尺支柱と両端部で接続可能な接続支柱と、前記一対の略Ｌ字形フレームを所定の間隔を置いて接続する横架材と、前記一対の略Ｔ字形フレームの水平部材に架け渡した足場板とからなる少なくとも１つの足場組立ユニットから構成され、
前記略Ｌ字形フレームの短尺支柱と前記略Ｔ字形フレームの長尺支柱とが接続されると共に前記略Ｌ字形フレームの基礎支柱と前記略Ｔ字形フレームの短尺支柱との間に前記接続支柱が接続されて前記略Ｌ字形フレームと前記略Ｔ字形フレームとが連結されてなり、
前記略Ｌ字形フレームの短尺支柱と前記略Ｔ字形フレームの長尺支柱との連結部が、前記略Ｌ字形フレームの水平部材と前記略Ｌ字形フレームに接続された前記略Ｔ字形フレームの水平部材との間の中央部にあることを特徴とする作業用足場。
【請求項２】
前記略Ｔ字形フレームを複数対有し、前記略Ｔ字形フレームの長尺支柱の上端と他の前記略Ｔ字形フレームの長尺支柱の下端とが接続されると共に、前記複数の略Ｔ字形フレームの短尺支柱間に接続支柱が接続されて前記略Ｔ字形フレーム間が連結され、前記略Ｔ字形フレームの長尺支柱間の連結部が、前記略Ｌ字形フレームの水平部材と前記略Ｌ字形フレームに接続された前記略Ｔ字形フレームの水平部材との間の中央部にあることを特徴とする請求項１に記載の作業用足場。
【請求項３】
前記一対の略Ｔ字形フレームの長尺支柱の上端近傍同士に棒状の手摺を有することを特徴とする請求項１又は２に記載の作業用足場。
【請求項４】
互いに平行に配置された短尺支柱と該短尺支柱より短い基礎支柱とのそれぞれの端部を揃え、その揃えた端部側に水平部材を配設してそれぞれの支柱を固定してなる一対の略Ｌ字形フレームと、互いに平行に配置された短尺支柱と長尺支柱とをそれぞれの長さ方向の中心を揃え、その揃えた中心部に水平部材を配設してそれぞれの支柱を固定してなる少なくとも一対の略Ｔ字形フレームと、前記略Ｌ字形フレームの基礎支柱又は前記略Ｔ字形フレームの短尺支柱と両端部で接続可能な接続支柱とを備え、前記略Ｌ字形フレームの短尺支柱と前記略Ｔ字形フレームの長尺支柱との連結部が、前記略Ｌ字形フレームの水平部材と前記略Ｌ字形フレームに接続された前記略Ｔ字形フレームの水平部材との間の中央部となる建地の構成部材を採用する作業用足場の組立方法において、
前記一対の略Ｌ字形フレームを向かい合わせて立設すると共に前記基礎支柱に前記接続支柱を接続する工程と、これら相対する略Ｌ字形フレーム同士を横架材で接続する工程と、前記略Ｌ字形フレームの短尺支柱に前記略Ｔ字形フレームの長尺支柱を接続すると共に前記接続支柱に前記略Ｔ字形フレームの短尺支柱を接続する工程と、前記一対の略Ｔ字形フレームの水平部材に足場板を架け渡す工程とからなることを特徴とする作業用足場の組立方法。
【発明の詳細な説明】
【０００１】
【発明の属する技術分野】
この発明は、建築工事、土木工事において構造物の外壁面に対向して設置され、建築・土木工事を行う際の作業者の作業スペースを確保するために使用される作業用足場及びその組立方法に関する。
【０００２】
【従来の技術】
一般に、建築工事、土木工事において構造物の外壁面に作業用足場を対向して設置し、この作業用足場を用いて種々の建築工事、土木工事を行っている。
【０００３】
このような作業用足場は、例えば図１０乃至図１３に示したような手順を経て組み立てられる。すなわち、まず図１０に示したように、敷板（木製足場板）１上に複数のジャッキベース２を設置し、これらのジャッキベース２に建枠３を組み立てる。この場合には、建枠３の構造物の外壁面側（建物側）に交差ブレース４を取り付けて建枠３を自立させる。そして、隣り合った建枠３同士を連結する根がらみ５を建枠３の下部に取り付ける。
【０００４】
次いで、図１１に示したように、１層目（下側）の建枠３に先行手摺枠６の下部を取り付けた後、足場板７を建枠３の横地３ａに取り付ける。さらに、図１２に示したように、作業者は先行手摺枠６に安全帯のフックを係止して足場板７上において２層目（上側）の建枠３を組み立てる。
【０００５】
その後、２層目（上側）の建枠３の構造物の外壁面側（建物側）に交差ブレース４を取り付けて建枠３を自立させた後、図１３に示したように、２層目（上側）の建枠３に先行手摺枠６の上部を固定金具（図示せず）により固定して足場組立ユニットを構成し、所要段数の足場ユニットの組立を繰り返して所定高さにすると共に、水平方向にも上記足場組立ユニットを所要数接続する。
【０００６】
【発明が解決しようとする課題】
しかしながら、上述した従来の技術では、図１１に示したように、作業者が大きな先行手摺枠６を持ち上げて下側の建枠３に取り付ける必要があるため、取付作業が困難で、組立作業効率を著しく低下させるという課題があった。そして、先行手摺枠６は、枠体により構成されているため構成部品の点数が多くなると共に、建枠３へ取り付けるための金具等も必要となり、重量が重くなり、取扱い性が悪いという課題があった。
【０００７】
また、従来の足場組立ユニットは、各部材同士の連結部がそれぞれ同一高さに位置するため、横方向からかかる外力に対して剛性が低いという課題があった。
【０００８】
そこで、この発明は上記事情を考慮してなされたもので、部品点数を削減して軽量化を図ると共に、剛性の高い作業用足場とその組立方法を提供することを目的としている。
【０００９】
また、この発明の他の目的とするところは、先行する手摺の取付作業を容易にし、全体的な組立作業効率及び安全性を著しく高めた作業用足場とその組立方法を提供することを目的としている。
【００１０】
【課題を解決するための手段】
かかる目的を達成するために、請求項１に記載の発明に係る作業用足場は、互いに平行に配置された短尺支柱と該短尺支柱より短い基礎支柱とのそれぞれの端部を揃え、その揃えた端部側に水平部材を配設してそれぞれの支柱を固定してなる一対の略Ｌ字形フレームと、互いに平行に配置された短尺支柱と長尺支柱とをそれぞれの長さ方向の中心を揃え、その揃えた中心部に水平部材を配設してそれぞれの支柱を固定してなる少なくとも一対の略Ｔ字形フレームと、前記略Ｌ字形フレームの基礎支柱又は前記略Ｔ字形フレームの短尺支柱と両端部で接続可能な接続支柱と、前記一対の略Ｌ字形フレームを所定の間隔を置いて接続する横架材と、前記一対の略Ｔ字形フレームの水平部材に架け渡した足場板とからなる少なくとも１つの足場組立ユニットから構成され、前記略Ｌ字形フレームの短尺支柱と前記略Ｔ字形フレームの長尺支柱とが接続されると共に前記略Ｌ字形フレームの基礎支柱と前記略Ｔ字形フレームの短尺支柱との間に前記接続支柱が接続されて前記略Ｌ字形フレームと前記略Ｔ字形フレームとが連結されてなり、前記略Ｌ字形フレームの短尺支柱と前記略Ｔ字形フレームの長尺支柱との連結部が、前記略Ｌ字形フレームの水平部材と前記略Ｌ字形フレームに接続された前記略Ｔ字形フレームの水平部材との間の中央部にあることを特徴としている。
【００１１】
請求項２に記載の発明は、請求項１に記載の構成に加えて、前記略Ｔ字形フレームを複数対有し、前記略Ｔ字形フレームの長尺支柱の上端と他の前記略Ｔ字形フレームの長尺支柱の下端とが接続されると共に、前記複数の略Ｔ字形フレームの短尺支柱間に接続支柱が接続されて前記略Ｔ字形フレーム間が連結され、前記略Ｔ字形フレームの長尺支柱間の連結部が、前記略Ｌ字形フレームの水平部材と前記略Ｌ字形フレームに接続された前記略Ｔ字形フレームの水平部材との間の中央部にあることを特徴としている。
【００１２】
請求項３に記載の発明は、請求項１又は２に記載の構成に加えて、前記一対の略Ｔ字形フレームの長尺支柱の上端近傍同士に棒状の手摺を有することを特徴としている。
【００１３】
請求項４に記載の発明に係る作業用足場の組立方法は、互いに平行に配置された短尺支柱と該短尺支柱より短い基礎支柱とのそれぞれの端部を揃え、その揃えた端部側に水平部材を配設してそれぞれの支柱を固定してなる一対の略Ｌ字形フレームと、互いに平行に配置された短尺支柱と長尺支柱とをそれぞれの長さ方向の中心を揃え、その揃えた中心部に水平部材を配設してそれぞれの支柱を固定してなる少なくとも一対の略Ｔ字形フレームと、前記略Ｌ字形フレームの基礎支柱又は前記略Ｔ字形フレームの短尺支柱と両端部で接続可能な接続支柱とを備え、前記略Ｌ字形フレームの短尺支柱と前記略Ｔ字形フレームの長尺支柱との連結部が、前記略Ｌ字形フレームの水平部材と前記略Ｌ字形フレームに接続された前記略Ｔ字形フレームの水平部材との間の中央部となる建地の構成部材を採用する作業用足場の組立方法において、前記一対の略Ｌ字形フレームを向かい合わせて立設すると共に前記基礎支柱に前記接続支柱を接続する工程と、これら相対する略Ｌ字形フレーム同士を横架材で接続する工程と、前記略Ｌ字形フレームの短尺支柱に前記略Ｔ字形フレームの長尺支柱を接続すると共に前記接続支柱に前記略Ｔ字形フレームの短尺支柱を接続する工程と、前記一対の略Ｔ字形フレームの水平部材に足場板を架け渡す工程とからなることを特徴としている。
【００１４】
【発明の実施の形態】
以下、この発明の実施の形態を図面に基づいて説明する。
【００１５】
図１はこの発明に係る作業用足場の一実施の形態における足場組立ユニットを示す一部分解斜視図、図２はこの発明に係る作業用足場の一実施の形態を示す斜視図である。
【００１６】
図１に示したように、足場組立ユニット１０は、足場板１８の寸法に対応して少なくとも４個設置されたジャッキベース１１を有し、これら４個のジャッキベース１１の上記足場板１８の幅方向における２個の上端には、それぞれ略Ｌ字形フレーム１２の長尺支柱１２ａ及び短尺支柱１２ｂの下端部が水平部材で連結されて互いに向い合って立設される。ここで、図１に示した実施の形態の場合には、長尺支柱１２ａと短尺支柱１２ｂとは互いに平行に配置されており、長尺支柱１２ａは短尺支柱１２ｂよりも短い基礎支柱１２ｃとこの基礎支柱１２ｃに接続される接続支柱１２ｄとからなっている。
【００１７】
相対する略Ｌ字形フレーム１２は、それぞれ長尺支柱１２ａ及び短尺支柱１２ｂの下部に設けた部材受け１２ｅに横架材１３の両端部を載置し、横架材１３の両端部に設けた楔金具１３ａを部材受け１２ｅの楔孔に打ち込むことで接続固定される。
【００１８】
そして、略Ｌ字形フレーム１２には略Ｔ字形フレーム１５を接続することで建地が構成できるようにしている。略Ｔ字形フレーム１５は、長尺支柱１５ａと短尺支柱１５ｂとがそれぞれの長さ方向の中心部に設けられた水平部材１５ｃによって互いに平行に配設固定されている。そこで、略Ｌ字形フレーム１２の短尺支柱１２ｂの上端には、それぞれ略Ｔ字形フレーム１５の長尺支柱１５ａの下端部が連結される一方、各接続支柱１２ｄの上端には、略Ｔ字形フレーム１５の短尺支柱１５ｂの下端部が連結されることで、略Ｔ字形フレーム１５が互いに向い合って立設される。
【００１９】
さらに、略Ｔ字形フレーム１５の長尺支柱１５ａの上端近傍間には、その長尺支柱１５ａに設けた止め具１５ｅに棒状に形成された手摺１６の両端部に設けた取付孔（図示せず）を差し込むことで手摺１６が接続される。止め具１５ｅと手摺１６の取付孔とは回動自在の関係にあり、略Ｔ字形フレーム１５の長尺支柱１５ａの上端近傍に手摺１６を接続した状態では、手摺１６が略Ｔ字形フレーム１５に対して揺動自在となる。したがって、一対の略Ｔ字形フレーム１５の長尺支柱１５ａの上端近傍同士に手摺１６を接続した状態では、平行リンク運動が可能となるから、略Ｌ字形フレームの短尺支柱１２ｂに略Ｔ字形フレームの長尺支柱１５ａを接続する作業が容易に行える。
【００２０】
そして、略Ｔ字形フレーム１５の水平部材１５ｃ近傍に設けた差込孔１５ｄには、補強用のブレース１７の一端が差込金具（図示せず）により連結される一方、このブレース１７の他端が略Ｌ字形フレーム１２の短尺支柱１２ｂの下端部に設けられた取付金具１２ｆに連結される。
【００２１】
また、相対する略Ｔ字形フレーム１５の水平部材１５ｃ上には、２枚の足場板１８が図示しない係止部材によって係止されて架け渡される。そして、略Ｔ字形フレーム１５の長尺支柱１５ａにおける手摺１６の接続部のやや下方には、棒状の補助手摺１９が手摺１６と平行に接続される。
【００２２】
以上のようにして足場組立ユニット１０が構成され、この足場組立ユニット１０を上下左右に接続し、所要段数の組立を繰り返して所定高さとすると共に、水平方向にも足場組立ユニット１０を所要数接続して、例えば図２に示したような作業用足場２０が構築される。
【００２３】
このように、この発明の実施形態の作業用足場２０によれば、手摺１６を棒状に形成したことにより、手摺１６の取り付けが容易になり、組立作業効率を著しく向上させることができる。また、枠体と比べて部品点数が少なくなると共に、重量が軽減され、手摺自体の生産効率も高めることができる。
【００２４】
また、作業用足場２０を構成する足場組立ユニット１０は、略Ｌ字形フレーム１２、接続支柱１２ｄ及び略Ｔ字形フレーム１５の順に連結し、その各部材の連結部が上下に交互に配置されることで同一平面上に強度の弱い連結部が集中することがないため、横方向に加わる外力に対しての剛性を高めることができる。
【００２５】
次に、この発明の実施の形態における作業用足場２０の組立工程を図３乃至図９に従って説明する。
【００２６】
なお、図３乃至図９では足場組立ユニット１０を水平方向に２つ接続した例を示し、また図１及び図２と異なり略Ｌ字形フレーム１２の水平部材１２ｇにも足場板１８を架け渡した例を示している。
【００２７】
まず、図３に示したように、長手方向に２枚の足場板１８の寸法に対応して６個のジャッキベース１１を地上（又は敷板上）に設置する。この工程では、ジャッキベース１１のジャッキハンドル１１ａの上端が同一高さになるようにジャッキハンドル１１ａを回動することで調整する。
【００２８】
次いで、これら６個のジャッキベース１１の足場板１８の幅方向における２個の上端に、それぞれ略Ｌ字形フレーム１２の長尺支柱１２ａ及び短尺支柱１２ｂの下端部を連結してそれぞれ互いに向い合って立設する。
【００２９】
そして、これら３つの相対する略Ｌ字形フレーム１２は、それぞれ長尺支柱１２ａ及び短尺支柱１２ｂ同士を横架材１３により接続固定する。その後、略Ｌ字形フレーム１２の水平部材１２ｇ上に足場板１８を架け渡す。
【００３０】
さらに、３つの略Ｌ字形フレーム１２の各基礎支柱１２ｃ上端に、各基礎支柱１２ｃの上端の上方に延びるように接続支柱１２ｄをそれぞれ連結する。
【００３１】
次に、図４に示したように、一方の略Ｌ字形フレーム１２の短尺支柱１２ｂ上端に、略Ｔ字形フレーム１５の長尺支柱１５ａの下端部を連結すると共に、接続支柱１２ｄの上端に略Ｔ字形フレーム１５の短尺支柱１５ｂの下端部を連結する。そして、略Ｔ字形フレーム１５の長尺支柱１５ａの上端近傍の止め具１５ｅに手摺１６の一端を取り付けておき、その手摺１６の他端を相対する他方の略Ｔ字形フレーム１５の長尺支柱１５ａの上端近傍の止め具１５ｅに取り付け、この他方の略Ｔ字形フレーム１５の長尺支柱１５ａの下端部を図５に示したように対応する側の略Ｌ字形フレーム１２の長尺支柱１２ａ上端に連結すると共に、接続支柱１２ｄの上端に略Ｔ字形フレーム１５の短尺支柱１５ｂの下端部を連結することで、２層目の各略Ｔ字形フレーム１５は互いに向い合って立設される。これにより、２層目の略Ｔ字形フレーム１５が組み立てられた時点で、２層目の手摺１６の取付が完了する。
【００３２】
次いで、図６に示したように、略Ｔ字形フレーム１５の水平部材１５ｃ近傍に設けた差込孔１５ｄには、補強用のブレース１７の一端が差込金具（図示せず）により連結する一方、このブレース１７の他端を略Ｌ字形フレーム１２の短尺支柱１２ｂの下端部に設けられた取付金具１２ｆに連結する。
【００３３】
その後、図７に示したように、相対する略Ｔ字形フレーム１５の水平部材１５ｃ上に、２枚の足場板１８を図示しない係止部材によって係止して架け渡す。
【００３４】
そして、図８に示したように、上記と同様の工程を経てもう一つの略Ｔ字形フレーム１５側にも手摺１６を取り付けた後、作業者は、２層目の足場板１８上に立って、略Ｔ字形フレーム１５の長尺支柱１５ａにおける手摺１６の接続部のやや下方に、棒状の補助手摺１９を手摺１６と平行に接続する。
【００３５】
以上の組立工程により足場組立ユニット１０が構成され、所要段数の組立を繰り返す場合には、図９に示したように、略Ｔ字形フレーム１５の短尺支柱１５ｂの上端に接続支柱１２ｄを略Ｔ字形フレーム１５の短尺支柱１５ｂの上方に延びるように連結する。
【００３６】
その後、接続支柱１２ｄの上端に略Ｔ字形フレーム１５の短尺支柱１５ｂの下端部を連結すると共に、略Ｔ字形フレーム１５の長尺支柱１５ａの上端に上側の略Ｔ字形フレーム１５の長尺支柱１５ａの下端部を連結する。
【００３７】
そして、略Ｔ字形フレーム１５の長尺支柱１５ａの上端近傍の止め具１５ｅに先行手摺１６の一端を取り付けておき、その先行手摺１６の他端を他の略Ｔ字形フレーム１５の長尺支柱１５ａの上端近傍の止め具１５ｅに取り付け、この略Ｔ字形フレーム１５の長尺支柱１５ａの下端部を図９に示したように下側の略Ｔ字形フレーム１５の長尺支柱１５ａ上端に連結すると共に、接続支柱１２ｄの上端に略Ｔ字形フレーム１５の短尺支柱１５ｂの下端部を連結することで、３層目の各略Ｔ字形フレーム１５は互いに向い合って立設される。
【００３８】
これにより、３層目の略Ｔ字形フレーム１５が組み立てられた時点で、３層目の先行手摺１６の取付が完了する。
【００３９】
このようにして足場組立ユニット１０を上下左右に接続し、所要段数の組立を繰り返して所定高さにすると共に、水平方向にも足場組立ユニット１０を所要数接続して、例えば図２に示したような作業用足場２０を構築する。
【００４０】
このように、この発明の実施形態の作業用足場２０の組立方法によれば、上側の足場板１８を設置する前に、予め下側から先行して手摺１６を取り付けることができるので、２層目以降の組立を安全に行うことができる。また、手摺１６は略Ｔ字形フレーム１５の連結と同時に取り付けられるので、手摺１６の取付作業を容易にし、全体的な組立作業効率を著しく高めることができる。
【００４１】
なお、略Ｌ字形フレーム１２の長尺支柱１２ａは、基礎支柱１２ｃと接続支柱１２ｄとを接続した長さを有する一体ものとしてもよい。
【００４２】
【発明の効果】
以上説明したように、請求項１乃至３に記載の発明によれば、相対する一対の下部フレームと該一対の下部フレームに接続される相対する一対の上部フレームとからなる少なくとも１つの足場組立ユニットで構成され、一対の下部フレーム同士を接続する横架材を有し、一対の上部フレームの上端近傍同士が揺動自在な棒状の先行手摺によって接続しているので、先行手摺の取り付けが容易になり、組立作業効率を著しく向上させることができる。また、枠体と比べて部品点数が少なくなると共に、重量が軽減され、取扱い性を向上させることができる。
【００４３】
また、足場組立ユニットは、略Ｌ字形フレーム、支柱及び略Ｔ字形フレームの順に連結し、その各部材の連結部が上下に交互に位置されることで同一平面上に強度の弱い連結部が集中することがないため、横方向に加わる外力に対して剛性を高めることができる。
【００４４】
請求項４に記載の発明によれば、相対する一対の下部フレームと該一対の下部フレームに接続される相対する一対の上部フレームとからなる少なくとも１つの足場組立ユニットで構成され、一対の下部フレームを向い合って立設する工程と、一対の下部フレーム同士を横架材により接続する工程と、一対の下部フレームの一方に一対の上部フレームの一方を接続する工程と、前記一対の略Ｔ字形フレームの長尺支柱上端近傍間に揺動自在な棒状の先行手摺を接続する工程と、該先行手摺が接続された他方の上部フレームを他方の下部フレームに接続する工程とからなるので、先行手摺の取り付けが容易になり、組立作業効率を著しく向上させることができる。また、枠体と比べて部品点数が少なくなると共に、重量が軽減され、取扱い性を向上させることができる。
【００４５】
また、足場組立ユニットは、略Ｌ字形フレーム、支柱及び略Ｔ字形フレームの順に連結し、その各部材の連結部が上下に交互に位置されることで同一平面上に強度の弱い連結部が集中することがないため、横方向に加わる外力に対して剛性を高めることができる。
【図面の簡単な説明】
【図１】この発明に係る作業用足場の一実施の形態における足場組立ユニットを示す一部分解斜視図。
【図２】この発明に係る作業用足場の一実施の形態を示す斜視図。
【図３】この発明に係る作業用足場の組立方法の一実施の形態における組立順序を示す斜視図。
【図４】この発明に係る作業用足場の組立方法の一実施の形態における組立順序を示す斜視図。
【図５】この発明に係る作業用足場の組立方法の一実施の形態における組立順序を示す斜視図。
【図６】この発明に係る作業用足場の組立方法の一実施の形態における組立順序を示す斜視図。
【図７】この発明に係る作業用足場の組立方法の一実施の形態における組立順序を示す斜視図。
【図８】この発明に係る作業用足場の組立方法の一実施の形態における組立順序を示す斜視図。
【図９】この発明に係る作業用足場の組立方法の一実施の形態における組立順序を示す斜視図。
【図１０】従来の作業用足場の組立順序を示す斜視図。
【図１１】従来の作業用足場の組立順序を示す斜視図。
【図１２】従来の作業用足場の組立順序を示す斜視図。
【図１３】従来の作業用足場の組立順序を示す斜視図。
【符号の説明】
１０  足場組立ユニット
１１  ジャッキベース
１２  略Ｌ字形フレーム
１２ａ  長尺支柱
１２ｂ  短尺支柱
１２ｃ  基礎支柱
１２ｄ  接続支柱
１２ｇ  水平部材
１３  横架材
１４  支柱
１５  略Ｔ字形フレーム
１５ａ  長尺支柱
１５ｂ  短尺支柱
１５ｃ  水平部材
１６  手摺
１７  ブレース
１８  足場板
１９  補助手摺
２０  作業用足場
【図１】
0003892240.tif 000002
【図２】
0003892240.tif 000003
【図３】
0003892240.tif 000004
【図４】
0003892240.tif 000005
【図５】
0003892240.tif 000006
【図６】
0003892240.tif 000007
【図７】
0003892240.tif 000008
【図８】
0003892240.tif 000009
【図９】
0003892240.tif 000010
【図１０】
0003892240.tif 000011
【図１１】
0003892240.tif 000012
【図１２】
0003892240.tif 000013
【図１３】
0003892240.tif 000014